(57)【要約】【解決手段】本発明は、支払い方法、装置、システムおよび販売端末を開示する。そのうち、販売端末に適用される支払い方法において、前記販売端末は、商品販売部と通貨投入部とを含み、当該支払い方法は、ユーザ通貨受取りステップ、通貨金額識別ステップ、チャージ成功受信ステップおよびチャージ成功表示ステップを含む。当該方法によれば、ユーザが販売端末を用いるたびに小銭で買い物をする必要がなく、お金を、販売端末と組み合わせて使用されるソフトウェアにチャージすることができるので、買い物をするたびに勘定残高から相応する金額を差し引けばよく、便利で迅速であり、買い物の効率およびユーザエクスペリエンスを向上させることができる。【選択図】図１
2020515938.tif 000002
【特許請求の範囲】
【請求項１】
商品販売部と通貨投入部とを含む販売端末に適用される支払い方法であって、
ユーザから前記通貨投入部に投入した通貨を受け取るユーザ通貨受取りステップと、
前記通貨を識別して前記通貨の金額を表示する通貨金額識別ステップと、
サーバがチャージ待ちの口座番号情報に対応する身分識別情報と前記通貨の金額を受信し、前記金額に応じて前記口座番号にチャージした後、前記サーバから送信したチャージ成功情報を受信するチャージ成功受信ステップと、
前記ユーザが移動端末を用いて前記商品販売部における商品を購入する時に、前記口座番号によって支払いを行うように、前記チャージ成功情報を前記ユーザに表示させるチャージ成功表示ステップとを含む、支払い方法。
【請求項２】
前記通貨金額識別ステップ以降、前記支払い方法は、
前記ユーザから前記販売端末に入力した、チャージ待ちの口座番号情報に対応する身分識別情報を受信する身分情報受信ステップと、
前記身分識別情報と前記通貨の金額をサーバに送信するチャージ情報送信ステップとを更に含む、ことを特徴とする請求項１に記載の方法。
【請求項３】
前記チャージ情報送信ステップ以降、前記支払い方法は、
ユーザからの確認チャージ情報を受信する確認情報受信ステップを更に含む、ことを特徴とする請求項２に記載の方法。
【請求項４】
前記通貨金額識別ステップ以降、前記支払い方法は、
前記通貨に対する識別に応答し、２次元バーコードを生成すると共に、前記２次元バーコードを表示する２次元バーコード表示ステップを更に含む、ことを特徴とする請求項１〜３のいずれか一項に記載の方法。
【請求項５】
移動端末に適用される支払い方法であって、
販売端末がユーザから前記販売端末の通貨投入部に投入した通貨を受取り、前記通貨を識別して前記通貨の金額を表示し、前記通貨に対する識別に応答し、２次元バーコードを生成すると共に、前記２次元バーコードを表示した後、前記移動端末の撮像装置を起動して前記２次元バーコードを走査する２次元バーコード走査ステップと、
前記通貨の金額を含む前記２次元バーコードのコンテンツを識別し解析する２次元バーコード解析ステップと、
チャージ待ちの口座番号に対応する身分識別情報と前記通貨の金額をサーバに送信する情報送信ステップと、
前記サーバが前記金額に応じて前記身分識別情報に対応する前記移動端末の口座番号にチャージした後、前記ユーザによる勘定残高に対する照会操作に応答し、更新後の金額を表示する残高照会ステップとを含む、支払い方法。
【請求項６】
商品販売部と通貨投入部とを含む販売端末に適用される支払い装置であって、
ユーザから前記通貨投入部に投入した通貨を受け取るように配置されるユーザ通貨受取りモジュールと、
前記通貨を識別して前記通貨の金額を表示するように配置される通貨金額識別モジュールと、
サーバがチャージ待ちの口座番号情報に対応する身分識別情報と前記通貨の金額を受信し、前記金額に応じて前記口座番号にチャージした後、前記サーバから送信したチャージ成功情報を受信するように配置されるチャージ成功受信モジュールと、
前記ユーザが移動端末を用いて前記商品販売部における商品を購入する時に、前記口座番号によって支払いを行うように、前記チャージ成功情報を前記ユーザに表示させるように配置されるチャージ成功表示モジュールとを含む支払い装置。
【請求項７】
前記通貨金額識別モジュールには、
前記ユーザから前記販売端末に入力した、チャージ待ちの口座番号情報に対応する身分識別情報を受信するために用いられるように配置される身分情報受信モジュール、および
前記身分識別情報と前記通貨の金額をサーバに送信するために用いられるように配置されるチャージ情報送信モジュールが更に接続されている、ことを特徴とする請求項６に記載の装置。
【請求項８】
前記通貨金額識別モジュールには、前記通貨に対する識別に応答し、２次元バーコードを生成すると共に、前記２次元バーコードを表示するように配置される２次元バーコード表示モジュールが更に接続されている、ことを特徴とする請求項６または７に記載の装置。
【請求項９】
キャビネットと、前記キャビネットに収容された商品販売部、通貨投入部、産業用制御機構および実行機構とを含む販売端末であって、
前記商品販売部は、商品を預け入れてユーザが選択するために用いられ、
前記通貨投入部は、前記ユーザから投入した通貨を受け取るために用いられ、
前記産業用制御機構は、前記通貨を識別し前記通貨の金額を表示し、前記ユーザから伝送した、チャージ待ちの口座番号情報に対応する身分識別情報を受信してサーバに送信し、および／または前記通貨に対する識別に応答し、２次元バーコードを生成すると共に、前記２次元バーコードを表示し、前記サーバがチャージ待ちの口座番号情報に対応する身分識別情報と前記通貨の金額を受信し、前記金額に応じて前記チャージ待ちの口座番号にチャージした後、チャージ成功情報を受信し表示するために用いられ、
前記実行機構は、前記ユーザから選択し購入した商品を移動することで、前記ユーザが前記販売端末の外部から前記商品を取り出すために用いられる、販売端末。
【請求項１０】
移動端末、サーバおよび少なくとも１つの販売端末を含み、前記移動端末がそれぞれ無線ネットワークによって前記販売端末および前記サーバに接続され、前記販売端末と前記サーバとが有線ネットワークまたは無線ネットワークにより接続されている支払いシステムであって、
前記販売端末は、ユーザから投入した通貨を受け取って識別し、前記通貨を識別して前記通貨の金額を表示し、前記ユーザから前記販売端末に入力した、チャージ待ちの口座番号情報に対応する身分識別情報を受信した後、前記身分識別情報と前記金額をサーバに送信し、および／または前記通貨に対する識別に応答し、２次元バーコードを生成すると共に、前記２次元バーコードを表示するために用いられ、
前記サーバは、チャージ待ちの口座番号情報に対応する身分識別情報と前記通貨の金額を受信し、前記金額に応じて前記チャージ待ちの口座番号にチャージするために用いられ、
前記移動端末は、前記ユーザが前記販売端末の商品販売部における商品を選択した後、前記口座番号によって支払いを行うために用いられる、支払いシステム。
【発明の詳細な説明】
【技術分野】
【０００１】
本発明は、デジタル通信分野に関し、特に、支払い方法、支払い装置、支払いシステムおよび販売端末に関する。
【背景技術】
【０００２】
技術の発展に伴い、自動販売機の適用範囲はますます広くなってきた。自動販売機は、ユーザエクスペリエンス、人件コスト、利便性などの面で大きな優勢がある。ある国や地域では、自動販売機で買い物をする場合、従来の現金取引形態が用いられている。通常、ユーザが購入しようとする商品を選択する前に、現金、特に小銭を自動販売機に投入する必要がある。ユーザが現金を持っていないと、買い物をすることができない。それと同時に、この国や地域では、銀行の基礎措置の制限により、ユーザは、直接銀行カードで第三者支払いソフトウェアにチャージすることができない。これは、ユーザが第三者支払いで消費する時に困難および障害をもたらす。
【発明の概要】
【発明が解決しようとする課題】
【０００３】
本発明は、上記問題を克服し、若しくは上記問題を少なくとも一部解決するかまたは軽減することを目的とする。
【課題を解決するための手段】
【０００４】
本発明の一態様によれば、商品販売部と通貨投入部とを含む販売端末に適用される支払い方法であって、
ユーザから前記通貨投入部に投入した通貨を受け取るユーザ通貨受取りステップと、
前記通貨を識別して前記通貨の金額を表示する通貨金額識別ステップと、
サーバがチャージ待ちの口座番号情報に対応する身分識別情報と前記通貨の金額を受信し、前記金額に応じて前記口座番号にチャージした後、前記サーバから送信したチャージ成功情報を受信するチャージ成功受信ステップと、
前記ユーザが移動端末を用いて前記商品販売部における商品を購入する時に、前記口座番号によって支払いを行うように、前記チャージ成功情報を前記ユーザに表示させるチャージ成功表示ステップとを含む支払い方法を提供する。
【０００５】
当該方法によれば、ユーザが販売端末を用いるたびに小銭で買い物をする必要がなく、お金を、販売端末と組み合わせて使用されるソフトウェアにチャージすることができるので、買い物をするたびに勘定残高から相応する金額を差し引けばよい。当該方法は、便利で迅速であり、買い物の効率およびユーザエクスペリエンスを向上させることができる。
【０００６】
好ましくは、前記支払い方法は、
前記ユーザから前記販売端末に入力した、チャージ待ちの口座番号情報に対応する身分識別情報を受信する身分情報受信ステップと、
前記身分識別情報と前記通貨の金額をサーバに送信するチャージ情報送信ステップとを更に含む。
【０００７】
当該方法によれば、ユーザが身分識別情報を販売端末に入力し、販売端末がチャージ口座番号の情報を取得することを可能にすることで、ユーザから当該販売端末に投入した通貨を相応する口座番号に保管する。
【０００８】
好ましくは、前記身分情報受信ステップ以降、前記支払い方法は、ユーザからの確認チャージ情報を受信する確認情報受信ステップを更に含む。
【０００９】
好ましくは、前記通貨金額識別ステップ以降、前記支払い方法は、前記通貨に対する識別に応答し、２次元バーコードを生成すると共に、前記２次元バーコードを表示する２次元バーコード表示ステップを更に含む。
【００１０】
当該方法において、２次元バーコードを走査する方法を用いることにより、ユーザの身分情報を迅速・的確にサーバに伝送し、ユーザの入力ミスによる損失を防止することができる。
【００１１】
好ましくは、前記身分識別情報は、移動端末番号、メンバー番号、身分証明書番号または口座番号情報のうちの少なくとも１種を含む。
【００１２】
好ましくは、前記通貨は、紙幣またはコインのうちの少なくとも１種を含む。
【００１３】
当該方法は、ユーザが通貨を投入し、身分識別情報を入力するか、または２次元バーコードを走査する形態で身分識別情報を伝送した後、情報を確認するステップを追加するため、お客様が情報をチェックすることに便利であり、誤操作を防止し、的確性を向上することができる。
【００１４】
本発明の別の態様によれば、サーバに適用される支払い方法であって、
販売端末がユーザから販売端末の通貨投入部に投入した通貨を受取り、前記通貨を識別して前記通貨の金額を表示し、ユーザから入力した、チャージ待ちの口座番号情報に対応する身分識別情報を受信した後、前記身分識別情報と前記金額を受信する情報受信ステップと、
前記金額に応じて前記チャージ待ちの口座番号にチャージするチャージステップと、
前記ユーザが前記販売端末の商品販売部における商品を購入する時に、前記口座番号に関連する移動端末を用いて支払いを行うように、チャージ成功情報を前記販売端末に送信するチャージ成功情報送信ステップとを含む、支払い方法を提供する。
【００１５】
前記支払い方法は、サーバがチャージ、支払いなどのユーザからの操作行為を記憶する方法を用いることにより、ネットワーキング情報インタラクションを実現することで、ユーザが異なる販売端末で買い物の支払いを行う時に、すべて当該口座番号における金額を使用することができる。
【００１６】
本発明の別の態様によれば、移動端末に適用される支払い方法であって、販売端末に適用される支払い方法に基づき、前記サーバが前記金額に応じて前記身分識別情報に対応する前記移動端末の口座番号にチャージした後、前記ユーザによる勘定残高に対する照会操作に応答し、更新後の金額を表示することを含む、支払い方法を更に提供する。
【００１７】
当該方法を用いることにより、ユーザは移動端末において勘定残高をリアルタイム照会することができ、情報をチェックしやすく、ユーザが販売端末を用いて買い物をする前に支払い可能か否か、チャージする必要があるか否かなどを判断しやすい。
【００１８】
本発明の別の態様によれば、移動端末に適用される支払い方法であって、
販売端末がユーザから前記販売端末の通貨投入部に投入した通貨を受取り、前記通貨を識別して前記通貨の金額を表示し、前記通貨に対する識別に応答し、２次元バーコードを生成すると共に、前記２次元バーコードを表示した後、前記移動端末の撮像装置を起動して前記２次元バーコードを走査する２次元バーコード走査ステップと、
前記通貨の金額を含む前記２次元バーコードのコンテンツを識別し解析する２次元バーコード解析ステップと、
チャージ待ちの口座番号に対応する身分識別情報と前記通貨の金額をサーバに送信する情報送信ステップと、
前記サーバが前記金額に応じて前記身分識別情報に対応する前記移動端末の口座番号にチャージした後、前記ユーザによる勘定残高に対する照会操作に応答し、更新後の金額を表示する残高照会ステップとを含む支払い方法を更に提供する。
【００１９】
当該方法によれば、ユーザは移動端末を用いて身分識別情報の伝送を自動的に完成し、身分の識別を実現し、情報伝送の過程がより簡単・迅速であり、的確率を大幅に向上することができる。
【００２０】
本発明の別の態様によれば、商品販売部と通貨投入部とを含む販売端末に適用される支払い装置であって、
ユーザから前記通貨投入部に投入した通貨を受け取るように配置されるユーザ通貨受取りモジュールと、
前記通貨を識別して前記通貨の金額を表示するように配置される通貨金額識別モジュールと、
サーバがチャージ待ちの口座番号情報に対応する身分識別情報と前記通貨の金額を受信し、前記金額に応じて前記口座番号にチャージした後、前記サーバから送信したチャージ成功情報を受信するように配置されるチャージ成功受信モジュールと、
前記ユーザが移動端末を用いて前記商品販売部における商品を購入する時に、前記口座番号によって支払いを行うように、前記チャージ成功情報を前記ユーザに表示させるように配置されるチャージ成功表示モジュールとを含む支払い装置を更に提供する。
【００２１】
当該装置によれば、ユーザが販売端末を用いて商品を選択するたびに現金でしか買い物をすることができないことを防止し、ユーザが事前に通貨を個人口座に振り込んだため、ユーザの時間を節約することに有利であり、支払い速度を向上させ、ユーザエクスペリエンスを向上させる。
【００２２】
好ましくは、前記身分情報受信モジュールは、ユーザから前記販売端末に入力した、チャージ待ちの口座番号情報に対応する身分識別情報を受信するために用いられるように配置される。
【００２３】
好ましくは、前記身分情報受信モジュールには、ユーザからの確認チャージ情報を受信するために用いられるように配置される確認情報受信モジュールが更に接続されている。
【００２４】
好ましくは、前記通貨金額識別モジュールには、前記通貨に対する識別に応答し、２次元バーコードを生成すると共に、前記２次元バーコードを表示するように配置される２次元バーコード表示モジュールが更に接続されている。
【００２５】
好ましくは、前記身分識別情報は、移動端末番号、メンバー番号、身分証明書番号または口座番号情報のうちの少なくとも１種を含む。
【００２６】
好ましくは、前記通貨は、紙幣またはコインのうちの少なくとも１種を含む。
【００２７】
本発明の別の態様によれば、サーバに適用される支払い装置であって、
販売端末がユーザから販売端末の通貨投入部に投入した通貨を受取り、前記通貨を識別して前記通貨の金額を表示すると共に、ユーザから伝送した、チャージ待ちの口座番号情報に対応する身分識別情報を受信した後、前記身分識別情報と前記金額を受信するように配置される情報受信モジュールと、
前記金額に応じて前記チャージ待ちの口座番号にチャージするように配置されるチャージモジュールと、
前記ユーザが前記販売端末の商品販売部における商品を購入する時に、前記口座番号に関連する移動端末を用いて支払いを行うように、チャージ成功情報を前記販売端末に送信するように配置されるチャージ成功情報送信モジュールとを含む支払い装置を更に提供する。
【００２８】
本発明の別の態様によれば、移動端末に適用される支払い装置であって、販売端末の支払い装置に基づき、前記サーバが前記金額に応じて前記身分識別情報に対応する前記移動端末の口座番号にチャージした後、前記ユーザによる勘定残高に対する照会操作に応答し、更新後の金額を表示するように配置される残高照会モジュールを含む支払い装置を更に提供する。
【００２９】
本発明の別の態様によれば、移動端末に適用される支払い装置であって、
販売端末がユーザから前記販売端末の通貨投入部に投入した通貨を受取り、前記通貨を識別して前記通貨の金額を表示し、前記通貨に対する識別に応答し、２次元バーコードを生成すると共に、前記２次元バーコードを表示した後、前記移動端末の撮像装置を起動して前記２次元バーコードを走査するために用いられるように配置される２次元バーコード走査モジュールと、
前記通貨の金額を含む前記２次元バーコードのコンテンツを識別し解析するために用いられるように配置される２次元バーコード解析モジュールと、
前記チャージ待ちの口座番号に対応する身分識別情報と前記通貨の金額を前記サーバに送信するために用いられるように配置される情報送信モジュールと、
前記サーバが前記金額に応じて前記身分識別情報に対応する前記移動端末の口座番号にチャージした後、前記ユーザによる勘定残高に対する照会操作に応答し、更新後の金額を表示するために用いられるように配置される残高照会モジュールとを含む支払い装置を更に提供する。
【００３０】
本発明の別の態様によれば、キャビネットと、前記キャビネットに収容された商品販売部、通貨投入部、産業用制御機構および実行機構とを含む販売端末であって、
前記商品販売部は、商品を預け入れてユーザが選択するために用いられ、
前記通貨投入部は、前記ユーザから投入した通貨を受け取るために用いられ、
前記産業用制御機構は、前記通貨を識別し前記通貨の金額を表示し、前記ユーザから伝送した、チャージ待ちの口座番号情報に対応する身分識別情報を受信してサーバに送信し、および／または前記通貨に対する識別に応答し、２次元バーコードを生成すると共に、前記２次元バーコードを表示し、前記サーバがチャージ待ちの口座番号情報に対応する身分識別情報と前記通貨の金額を受信し、前記金額に応じて前記チャージ待ちの口座番号にチャージした後、チャージ成功情報を受信し表示するために用いられ、
前記実行機構は、前記ユーザから選択し購入した商品を移動することで、前記ユーザが前記販売端末の外部から前記商品を取り出すために用いられる、販売端末を更に提供する。
【００３１】
当該システムを用いることにより、ユーザは、販売端末で便利に買い物をすることができる。販売端末に第１のアプリケーション、移動端末に第２のアプリケーションがインストールされることにより、ユーザは販売端末で買い物、チャージを行い、移動端末で残高を照会することができる。当該装置は専門的に設計したものであり、従来の販売端末を基に改良してもよい。当該システムは安定して安全であり、ヒューマンコンピュータインタラクションを更によく実現し、消費者に極めて便利である。
【００３２】
本発明の別の態様によれば、移動端末、サーバおよび少なくとも１つの販売端末を含み、前記移動端末がそれぞれ無線ネットワークによって前記販売端末および前記サーバに接続され、前記販売端末と前記サーバとが有線ネットワークまたは無線ネットワークにより接続されている支払いシステムであって、
前記販売端末は、ユーザから投入した通貨を受け取って識別し、前記通貨を識別して前記通貨の金額を表示し、前記ユーザから前記販売端末に入力した、チャージ待ちの口座番号情報に対応する身分識別情報を受信した後、前記身分識別情報と前記金額をサーバに送信し、および／または前記通貨に対する識別に応答し、２次元バーコードを生成すると共に、前記２次元バーコードを表示するために用いられ、
前記サーバは、チャージ待ちの口座番号情報に対応する身分識別情報と前記通貨の金額を受信し、前記金額に応じて前記チャージ待ちの口座番号にチャージするために用いられ、
前記移動端末は、前記ユーザが前記販売端末の商品販売部における商品を選択した後、前記口座番号によって支払いを行うために用いられる、支払いシステムを更に提供する。
【００３３】
本発明の別の態様によれば、メモリと、プロセッサと、前記メモリに記憶されて前記プロセッサにより実行可能なコンピュータプログラムとを含むコンピュータ機器を更に提供する。そのうち、前記プロセッサは前記コンピュータプログラムを実行する時に上述した１つの方法を実現する。
【００３４】
本発明の別の態様によれば、コンピュータ読み取り可能な記憶媒体を更に提供する。好ましくは不揮発性読み取り可能な記憶媒体であり、その内にコンピュータプログラムが記憶され、前記コンピュータプログラムがプロセッサにより実行される時に上述した１つの方法を実現する。
【００３５】
本発明の別の態様によれば、コンピュータ機器により実行されると前記コンピュータ機器に上述した１つの方法を実行させるコンピュータ読み取り可能なコードを含むコンピュータプログラム製品を更に提供する。
【００３６】
以下、図面を結びつけて本発明の具体的な実施形態について詳しく説明することにより、当業者にとって、本発明の上記目的および他の目的、利点および特徴は更に明らかとなる。
【図面の簡単な説明】
【００３７】
【図１】本発明に係る販売端末に適用される支払い方法の一実施例のフローチャートである。
【図２】本発明に係る販売端末に適用される支払い方法の別の実施例のフローチャートである。
【図３】本発明に係る販売端末に適用される支払い方法の別の実施例のフローチャートである。
【図４】本発明に係る移動端末に適用される支払い方法の一実施例のフローチャートである。
【図５】本発明に係る販売端末に適用される支払い装置の一実施例のフローチャートである。
【図６】本発明に係る販売端末に適用される支払い装置の別の実施例のブロック図である。
【図７】本発明に係る移動端末に適用される支払い装置の一実施例のブロック図である。
【図８】本発明に係る支払い方法の一実施例のブロック図である。
【図９】本発明に係る支払いシステムの一実施例のブロック図である。
【図１０】本発明に係る支払いシステムの別の実施例のブロック図である。
【発明を実施するための形態】
【００３８】
以下、図面を結びつけて本発明の具体的な実施形態について詳しく説明することにより、当業者にとって、本発明の上記および他の目的、利点および特徴は更に明らかとなる。
【００３９】
本発明の一態様によれば、モバイルチャージ方法を提供する。図１は本発明に係る販売端末に適用される支払い方法の一実施例のフローチャートである。当該方法において、前記販売端末は商品販売部と通貨投入部とを含み、当該支払い方法は、
前記ユーザから前記通貨投入部に投入した通貨を受け取るユーザ通貨受取りステップと、
前記通貨を識別して前記通貨の金額を表示する通貨金額識別ステップと、
サーバがチャージ待ちの口座番号情報に対応する身分識別情報と前記通貨の金額を受信し、前記金額に応じて前記チャージ待ちの口座番号にチャージした後、前記サーバから送信したチャージ成功情報を受信するチャージ成功受信ステップと、
前記ユーザが移動端末を用いて前記商品販売部における商品を購入する時に、前記口座番号によって支払いを行うように、前記チャージ成功情報を前記ユーザに表示させるチャージ成功表示ステップとを含む。
【００４０】
当該支払い方法は、販売端末に記憶されている第１のアプリケーション（ＡＰＰ）により実現されてもよい。当該方法を用いることにより、ユーザは現金を販売端末の第１のアプリケーションに振り込むことができる。そのため、販売端末における商品を購入するたびに現金で支払いを行う必要がない。
【００４１】
当該販売端末における通貨投入部は、ユーザから投入した通貨を受け取るために用いられる。ユーザが操作モードを選択してもよいため、ユーザがチャージモードを選択した場合、投入した通貨を当該ユーザの口座に振り込んでもよく、ユーザが購入モードを選択した場合、投入した通貨が当該販売端末に預け入れた商品の購入に用いられてもよいことを理解することができる。
【００４２】
通貨は、紙幣であってもよく、コインであってもよく、両者の組み合わせであってもよい。当該販売端末は前記通貨の種類、破損状況、額面を識別するために用いられる。通貨が要求を満たさなければ、通貨出力部または通貨投入部によって当該通貨を押し出す。通貨が要求を満たせば、通貨の金額を計算して表示し、ユーザが２枚以上の通貨または２種以上の通貨を投入すれば、通貨の額面を加算した後に合計の金額を表示する。
【００４３】
通貨の金額を識別した後、当該販売端末は、ユーザが通貨振り込み待ちの口座を表明するための身分識別情報を入力するように提示する。身分識別情報とチャージ待ちの口座番号情報とはそれぞれ対応する。身分識別情報は、移動端末番号、メンバー番号、身分証明書番号のうちの１種またはそれらの組み合わせであってもよい。
【００４４】
ユーザは異なる形態で身分識別情報を伝送することができる。図２は、本発明に係る販売端末に適用される支払い方法の別の実施例のフローチャートである。好ましい実施態様において、前記通貨金額識別ステップ以降、当該支払い方法は、前記ユーザから前記販売端末に入力した、チャージ待ちの口座番号情報に対応する身分識別情報を受信する身分情報受信ステップと、前記身分識別情報と前記通貨の金額をサーバに送信するチャージ情報送信ステップとを更に含む。当該実施態様において、ユーザは、提示に応じて、販売端末におけるキーボードまたはスクリーンに表示されているソフトキーボードによって身分識別情報を入力する。そのうち、身分識別情報は移動端末番号、メンバー番号、身分証明書番号または口座番号情報のうちの１種またはそれらの組み合わせを含んでもよい。別の好ましい実施態様において、身分識別情報は、確認コードを含んでもよく、即ち、身分認証を完成してデータのセキュリティーを増加させるように、ユーザが移動端末番号、メンバー番号、および身分証明書番号のうちの１種またはそれらの組み合わせを入力した後、更にサーバから移動端末に送信した確認コードを入力する必要がある。
【００４５】
好ましい実施態様において、前記ユーザから伝送した移動端末の身分識別情報を受信するステップは、前記通貨に対する識別に応答し、２次元バーコードを生成すると共に、前記２次元バーコードを表示する２次元バーコード表示ステップと、前記ユーザが前記移動端末によって前記２次元バーコードを走査し、前記移動端末が前記身分識別情報を送信した後、前記身分識別情報を受信する身分識別情報受信ステップとを含む。当該態様において、販売端末は、通貨を識別した後、２次元バーコードを生成し表示する。移動端末において第１のアプリケーションに対応する第２のアプリケーションが記憶されている。移動端末が当該２次元バーコードを走査した後、第２のアプリケーションは移動端末に記憶された身分識別情報を無線ネットワークによって販売端末に伝送する。
【００４６】
好ましくは、前記身分情報受信ステップ以降、前記支払い方法は、ユーザからの確認チャージ情報を受信する確認情報受信ステップとを更に含む。ユーザはチャージボタンを押すことを選択して確認を行ってもよい。販売端末は、所定時間にユーザからの確認チャージ情報を受信していないと、チャージ操作を実行し続けてもよく、チャージを停止させて通貨を押し出してもよい。具体的にどのように実行するかは、必要に応じて設定されてもよい。
【００４７】
販売端末が前記身分識別情報と前記金額をサーバに送信し、前記サーバが前記金額に応じて前記チャージ待ちの口座番号にチャージした後、前記サーバから送信したチャージ成功情報を受信する。好ましくは、前記ユーザが移動端末を用いて前記商品販売部における商品を購入する時に、前記口座番号によって支払いを行うように、チャージ成功情報を受信した後、前記チャージ成功情報を前記ユーザに表示させる。
【００４８】
図３は、本発明に係る販売端末に適用される支払い方法の別の実施例のフローチャートである。当該実施態様において、ユーザは、以下の形態で身分識別情報を伝送することができる。
【００４９】
前記通貨金額識別ステップ以降、前記支払い方法は、前記通貨に対する識別に応答し、２次元バーコードを生成すると共に、前記２次元バーコードを表示する２次元バーコード表示ステップを更に含む。当該２次元バーコードに記憶されたコンテンツは、当該取引の注文番号、通貨の金額を含んでもよい。好ましくは、時間、販売端末の識別情報を含んでもよく、他のサーバに伝送する必要があるコンテンツを更に含んでもよい。
【００５０】
移動端末は当該２次元バーコードを走査することにより、取引情報を取得し、身分識別情報と通貨の金額をサーバに伝送する。サーバはユーザの口座番号にチャージする。移動端末はサーバに必要なほかの情報を更に伝送してもよいことを理解すべきである。
【００５１】
当該形態を用いることにより、ユーザはユーザの身分情報を入力する必要がなく、２次元バーコードを走査する形態で情報をサーバに自動的に伝送することができるため、便利で迅速であると共に、ミスが現われにくい。
【００５２】
ユーザは、チャージ完了後、当該販売端末における商品を購入したり、他の同じ類型の販売端末における商品を購入したり、他の機器で使用したりすることが可能であることを理解することができる。つまり、第１のアプリケーションがインストールされた機器に対して、当該ユーザは、すべて移動端末によって当該機器とインタラクションを行って特定機能を実現することができる。前記特定機能は、チャージおよび／または支払いを含むが、それに限定されない。
【００５３】
本発明の別の態様によれば、サーバに適用されるモバイルチャージ方法であって、
販売端末がユーザから販売端末の通貨投入部に投入した通貨を受取り、前記通貨を識別して前記通貨の金額を表示すると共に、ユーザから伝送した、チャージ待ちの口座番号情報に対応する身分識別情報を受信した後、前記身分識別情報と前記金額を受信し、或いは販売端末がユーザから販売端末の通貨投入部に投入した通貨を受取り、前記通貨を識別して前記通貨の金額を表示すると共に、前記通貨に対する識別に応答し、２次元バーコードを生成して前記２次元バーコードを表示した後、移動端末が２次元バーコードを走査することによって送信した身分識別情報と前記金額を受信する情報受信ステップと、
前記金額に応じて前記チャージ待ちの口座番号にチャージするチャージステップと、
前記ユーザが前記販売端末の商品販売部における商品を購入する時に、前記口座番号に関連する移動端末を用いて支払いを行うように、チャージ成功情報を前記販売端末に送信するチャージ成功情報送信ステップとを含むモバイルチャージ方法を更に提供する。
【００５４】
販売端末が有線ネットワークまたは無線ネットワークによってサーバに送信する情報は、身分識別情報と金額を含み、ユーザ位置情報、販売端末番号、取引時間、通貨カテゴリー、通貨の数、確認コードなどの情報のうちの１種または複数種を含んでもよい。サーバは、販売端末から送信した情報および相応する情報を受信した後、チャージステップを実行する。前記チャージステップは、身分識別情報に応じて対応する口座番号を検索することと、データベースにおける当該勘定残高を修正することとを含み、まず当該口座番号の状態を判断してもよく、当該口座番号がアクティベーション状態にあれば、データベースにおける当該勘定残高を修正する。好ましくは、販売端末から送信した情報に他の情報があれば、当該情報をデータベースに記憶する。
【００５５】
当該方法によれば、サーバによってすべてのユーザの情報と操作を記憶・更新することができるので、情報の伝送・取得がより的確で安全である。
【００５６】
前記ユーザが前記販売端末の商品販売部における商品を購入し、前記口座番号に関連する移動端末を用いて支払いを行う時に、当該支払い方法は、販売端末から送信したユーザにより選択した商品情報と合計価額を受信し、ユーザの口座番号における残高が十分であるか否かを判断し、十分である場合、勘定残高から当該合計価額を差し引いた勘定残高を販売端末および／または移動端末に送信することを更に含む。
【００５７】
本発明の別の態様によれば、移動端末に適用される支払い方法を更に提供する。好ましい実施態様において、前記支払い方法は、チャージ完了後、前記ユーザによる勘定残高に対する照会操作に応答し、更新後の金額を表示することを含んでもよい。
【００５８】
図４は、本発明に係る移動端末に適用される支払い方法の一実施例のフローチャートである。好ましい実施態様において、ユーザが２次元バーコードを走査することによって身分確認を行えば、当該支払い方法は、
販売端末がユーザから前記販売端末の通貨投入部に投入した通貨を受取り、前記通貨を識別して前記通貨の金額を表示し、前記通貨に対する識別に応答し、２次元バーコードを生成すると共に、前記２次元バーコードを表示した後、前記移動端末の撮像装置を起動して前記２次元バーコードを走査する２次元バーコード走査ステップと、
前記通貨の金額を含む前記２次元バーコードのコンテンツを識別し解析する２次元バーコード解析ステップと、
前記チャージ待ちの口座番号に対応する身分識別情報と前記通貨の金額を前記サーバに送信する情報送信ステップと、
前記チャージ待ちの口座番号に対応する身分識別情報を前記販売端末に送信する身分識別情報受信ステップと、
前記サーバが前記金額に応じて前記身分識別情報に対応する前記移動端末の口座番号にチャージした後、前記ユーザによる勘定残高に対する照会操作に応答し、更新後の金額を表示する残高照会ステップとを含んでもよい。
【００５９】
移動端末が２次元バーコードを走査した後、２次元バーコードのコンテンツを解析することにより、移動端末における第２のアプリケーションはユーザの口座番号情報を取得して販売端末に送信してもよい。
【００６０】
当該方法によれば、ユーザはユーザの身分情報を入力する必要がなく、２次元バーコードを走査することによって情報のインタラクションを迅速に実現することができるため、便利で迅速であると共に、ミスが現われにくい。
【００６１】
本発明の別の態様によれば、支払い装置を更に提供する。図５は本発明に係る販売端末に適用される支払い装置の一実施例のフローチャートである。当該支払い装置は、商品販売部と通貨投入部とを含む販売端末に適用され、
前記ユーザから前記通貨投入部に投入した通貨を受け取るように配置されるユーザ通貨受取りモジュールと、
前記通貨を識別して前記通貨の金額を表示するように配置される通貨金額識別モジュールと、
サーバがチャージ待ちの口座番号情報に対応する身分識別情報と前記通貨の金額を受信し、前記金額に応じて前記口座番号にチャージした後、前記サーバから送信したチャージ成功情報を受信するように配置されるチャージ成功受信モジュールと、
前記ユーザが移動端末を用いて前記商品販売部における商品を購入する時に、前記口座番号によって支払いを行うように、前記チャージ成功情報を前記ユーザに表示させるように配置されるチャージ成功表示モジュールとを含む。
【００６２】
好ましくは、図６は本発明に係る販売端末に適用される支払い装置の別の実施例のブロック図である。前記通貨金額識別モジュールには、前記ユーザから前記販売端末に入力した、チャージ待ちの口座番号情報に対応する身分識別情報を受信するために用いられるように配置される身分情報受信モジュール、および前記身分識別情報と前記通貨の金額をサーバに送信するために用いられるように配置されるチャージ情報送信モジュールが更に接続されている。
【００６３】
好ましくは、別の実施例において、前記通貨金額識別モジュールには、前記通貨に対する識別に応答し、２次元バーコードを生成すると共に、前記２次元バーコードを表示するように配置される２次元バーコード表示モジュールが更に接続されている。
【００６４】
好ましくは、前記身分情報受信モジュールには、ユーザからの確認チャージ情報を受信するように配置される確認情報受信モジュールが更に接続されている。
【００６５】
そのうち、前記身分識別情報は、移動端末番号、メンバー番号、身分証明書番号または口座番号情報のうちの少なくとも１種を含んでもよい。通貨は、紙幣またはコインのうちの少なくとも１種を含む。
【００６６】
本発明の別の態様によれば、サーバに適用される支払い装置を更に提供する。当該装置は、
販売端末がユーザから販売端末の通貨投入部に投入した通貨を受取り、前記通貨を識別して前記通貨の金額を表示した後、販売端末または移動端末から伝送した前記身分識別情報と前記金額を受信するように配置される情報受信モジュールと、
前記金額に応じて前記チャージ待ちの口座番号にチャージするように配置されるチャージモジュールと、
前記ユーザが前記販売端末の商品販売部における商品を購入する時に、前記口座番号に関連する移動端末を用いて支払いを行うように、チャージ成功情報を前記販売端末に送信するように配置されるチャージ成功情報送信モジュールとを含む。
【００６７】
本発明の別の態様によれば、移動端末に適用される支払い装置を更に提供する。当該支払い装置は、上記販売端末の支払いステップが完了すると同時に、或いはそれ以降、前記ユーザによる勘定残高に対する照会操作に応答し、更新後の金額を表示するように配置される残高照会モジュールを含む。
【００６８】
本発明の別の態様によれば、移動端末に適用される支払い装置を更に提供する。図７は本発明に係る移動端末に適用される支払い装置の一実施例のブロック図である。当該装置は、
販売端末がユーザから前記販売端末の通貨投入部に投入した通貨を受取り、前記通貨を識別して前記通貨の金額を表示し、前記通貨に対する識別に応答し、２次元バーコードを生成すると共に、前記２次元バーコードを表示した後、前記移動端末の撮像装置を起動して前記２次元バーコードを走査するように配置される２次元バーコード走査モジュールと、
前記通貨の金額を含む前記２次元バーコードのコンテンツを識別し解析するように配置される２次元バーコード解析モジュールと、
前記チャージ待ちの口座番号に対応する身分識別情報を前記販売端末に送信し、或いは前記チャージ待ちの口座番号に対応する身分識別情報と前記通貨の金額を前記サーバに送信するように配置される情報送信モジュールと、
前記サーバが前記金額に応じて前記身分識別情報に対応する前記移動端末の口座番号にチャージし、前記販売端末が前記サーバから送信したチャージ成功情報を受信して前記ユーザに表示させると同時に、或いはそれ以降、前記ユーザによる勘定残高に対する照会操作に応答し、更新後の金額を表示するように配置される残高照会モジュールとを含む。
【００６９】
図８は、本発明に係る支払い方法の一実施例のブロック図である。本発明に係る支払い方法において、ユーザは通貨を販売端末に投入すると共に、身分識別情報を提供する。販売端末はそれらの情報をサーバに送信する。サーバは、バックグラウンドでチャージ操作を完成し、確認情報を販売機に戻す。ユーザの移動端末は、データをリアルタイム更新することもでき、ユーザが残高を照会する時に、移動端末に現在の残高を表示させる。当該方法は、ユーザの買い物時間と操作流れを大幅に節約し、ユーザエクスペリエンスを向上させることができる。
【００７０】
本発明の別の態様によれば、販売端末を更に提供する。図９は、本発明に係る支払いシステムの一実施例のブロック図である。販売端末は、キャビネットと、前記キャビネットに収容された商品販売部、通貨投入部、産業用制御機構（未図示）および実行機構（未図示）とを含む。通貨投入部は、前記ユーザから投入した通貨を受け取るために用いられる。前記産業用制御機構はヒューマンコンピュータインタラクションを実現する。産業用制御機構は、前記通貨を識別して前記通貨の金額を表示し、前記ユーザから伝送した、チャージ待ちの口座番号情報に対応する身分識別情報を受信してサーバに送信し、および／または前記通貨に対する識別に応答し、２次元バーコードを生成して前記２次元バーコードを表示し、前記サーバが前記金額に応じて前記チャージ待ちの口座番号にチャージした後、チャージ成功情報を受信し表示することを含む。前記実行機構は、前記ユーザから選択し購入した商品を移動することで、前記ユーザが前記商品を前記販売端末から取り出すために用いられる。販売端末のパネルは、入力エリア、表示エリア、および２次元バーコード表示エリアを含んでもよく、そのうち、表示エリアは、ユーザが入力エリアにより入力した情報を表示するために用いられる。好ましくは、パネルには、チャージ確認ボタンが設けられてもよく、ユーザが当該ボタンを押すと、金額とユーザ識別情報がサーバに送信される。商品販売部は、商品を預け入れてユーザが選択し購入するために用いられる。商品販売部は透明の窓を有してもよく、ユーザは窓によって販売端末内部の販売待ちの商品を見える。好ましくは、商品販売部は、販売待ちの商品の名称と価額を表示するための電子表示スクリーンであってもよい。ユーザは当該スクリーンで所望の商品を選択したり、入力エリアによって商品の情報または番号を入力することによって商品を選択したりすることができる。商品出口は、ユーザが既に購入した商品を置くために用いられ、ユーザが当該商品を販売端末から取り出すことを可能にする。ユーザは販売端末を用いて買い物をする時に、移動端末によって販売端末から生成した２次元バーコードを走査して支払いを完成し、商品出口から購入した商品を取り出すことができる。
【００７１】
本発明の別の態様によれば、支払いシステムを更に提供する。図１０は本発明に係る支払いシステムの別の実施例のブロック図である。当該システムは、移動端末、サーバおよび少なくとも１つの販売端末を含む。前記移動端末はそれぞれ無線ネットワークによって前記販売端末および前記サーバに接続され、前記販売端末と前記サーバとが有線ネットワークまたは無線ネットワークにより接続されている。前記販売端末は、前記ユーザから投入した通貨を受信し識別し、ユーザから伝送した、チャージ待ちの口座番号情報に対応する身分識別情報を受信すると共に、前記身分識別情報と前記金額をサーバに送信し、および／または前記通貨に対する識別に応答し、２次元バーコードを生成して前記２次元バーコードを表示するために用いられる。前記サーバは、チャージ待ちの口座番号情報に対応する身分識別情報と前記通貨の金額を受信し、前記金額に応じて前記チャージ待ちの口座番号にチャージするために用いられる。前記移動端末は、前記ユーザが前記販売端末における少なとも１つの商品を購入する時に、前記口座番号によって支払いを行うために用いられる。
【００７２】
本発明の実施例において、メモリと、プロセッサと、前記メモリに記憶されて前記プロセッサにより実行可能なコンピュータプログラムとを含むコンピュータ機器を更に提供する。そのうち、前記プロセッサが前記コンピュータプログラムを実行する時に上述した方法のうちのいずれか一つを実現する。
【００７３】
本発明の実施例において、コンピュータ読み取り可能な記憶媒体を更に提供する。好ましくは不揮発性読み取り可能な記憶媒体であり、その内にコンピュータプログラムが記憶され、前記コンピュータプログラムがプロセッサにより実行される時に上述した方法のうちのいずれか一つを実現する。
【００７４】
本発明の実施例において、コンピュータ機器により実行されると前記コンピュータ機器が上述した方法のうちのいずれか一つを実行させるコンピュータ読み取り可能なコードを含むコンピュータプログラム製品を更に提供する。
【００７５】
前記モバイル機器は、携帯電話、スマートフォン、ＰＤＡ、ウェアラブル機器、ポケットコンピュータＰＰＣ、タブレットコンピュータなどの、いずれのキーボード、マウス、タッチスクリーン、音声制御機器または手書き機器などの形態でユーザとヒューマンコンピュータインタラクションを実行可能な電子製品であってもよい。前記ネットワークには、インターネット、広域ネットワーク、メトロポリタンネットワーク、ローカルエリアネットワーク、ＶＰＮネットワーク、無線アドホックネットワーク（Ａｄ  Ｈｏｃネットワーク）などが含まれるが、それらに限定されない。
【００７６】
上記実施例において、一部または全部は、ソフトウェア、ハードウェア、ファームウェアまたはそのいずれの組み合わせにより実現されてもよい。ソフトウェアで実現される場合、一部または全部はコンピュータプログラム製品の形態で実現されてもよい。前記コンピュータプログラム製品には１つまたは複数のコンピュータコマンドが含まれる。コンピュータが前記コンピュータプログラムコマンドをダウンロードし実行する場合、本発明の実施例に記載のプロセスまたは機能を一部または全部生成する。前記コンピュータは、共通のコンピュータ、専用のコンピュータ、およびコンピュータネットワークによって他のプログラマブル装置を取得してもよい。前記コンピュータコマンドは、コンピュータ読み取り可能な記憶媒体に記憶されてもよく、或いは１つのコンピュータ読み取り可能な記憶媒体から他のコンピュータ読み取り可能な記憶媒体へ伝送されてもよく、例えば、前記コンピュータコマンドは、１つのサイト、コンピュータ、サーバまたはデータセンターから有線（例えば同軸ケーブル、光ファイバ、デジタルユーザライン（ＤＳＬ））または無線（例えば赤外線、無線、マイクロ波など）の形態で他のサイト、コンピュータ、サーバまたはデータセンターへ伝送されてもよい。前記コンピュータ読み取り可能な記憶媒体は、コンピュータが記憶可能ないずれの使用可能な媒体、或いは１つまたは複数の使用可能な媒体で集積したサーバ、データセンターなどを含むデータ記憶機器であってもよい。前記使用可能な媒体は、磁性媒体（例えば、フレキシブルディスク、ハードディスク、磁気テープ）、光媒体（例えば、ＤＶＤ）、または半導体媒体（例えば、ソリッドステートドライブＳｏｌｉｄ  Ｓｔａｔｅ  Ｄｉｓｋ（ＳＳＤ））などであってもよい。
【００７７】
当業者であれば、本文に開示される実施例を結びつけて説明する各例示のユニットおよびアルゴリズムステップが電子ハードウェア、コンピュータソフトウェア、または両者の組み合わせにより実現されてもよく、ハードウェアとソフトウェアとの置換可能性を明瞭に説明するために、上記説明において既に機能に応じて各例示の構成およびステップが般的に説明されていることを更に認識すべきである。これらの機能がハードウェアで実行されるか、ソフトウェアで実行されるかは、技術案の特定応用と設計約束条件に決められる。当業者は、各特定アプリケーションに対して異なる方法で説明した機能を実現することができるが、このような実現は本発明の範囲を超えていると認められるべきではない。
【００７８】
当業者にとっては、上記実施例を実現する方法における一部または全部のステップはプログラムによってプロセッサに命令して完成させるものであり、前記プログラムがコンピュータ読み取り可能な記憶媒体に記憶されてもよく、前記記憶媒体は、非一時性（ｎｏｎ−ｔｒａｎｓｉｔｏｒｙ）媒体、例えばランダムアクセスメモリ、読み取り専用メモリ、フラッシュメモリ、ハードディスク、ソリッドステートドライブ、磁気テープ（ｍａｇｎｅｔｉｃ  ｔａｐｅ）、フレキシブルディスク（ｆｌｏｐｐｙ  ｄｉｓｋ）、光ディスク（ｏｐｔｉｃａｌ  ｄｉｓｃ）およびいずれの組み合わせであることを理解すべきである。
【００７９】
上記内容は本発明の好ましい具体的な実施形態に過ぎないが、本発明の保護範囲はそれに限定されず、当業者にとって本発明に掲示した技術範囲内に容易に想到できる変化または差し替えは本発明の保護範囲に属すべきである。よって、本発明の保護範囲は、特許請求の範囲の保護範囲を基準とすべきである。
【図１】
2020515938.tif 000003
【図２】
2020515938.tif 000004
【図３】
2020515938.tif 000005
【図４】
2020515938.tif 000006
【図５】
2020515938.tif 000007
【図６】
2020515938.tif 000008
【図７】
2020515938.tif 000009
【図８】
2020515938.tif 000010
【図９】
2020515938.tif 000011
【図１０】
2020515938.tif 000012
【国際調査報告】
2020515938.tif 000013
2020515938.tif 000014
2020515938.tif 000015
2020515938.tif 000016